(57)【要約】【課題】ヘアドライヤーに備わる赤外線放射源を空気を加熱する補助熱源として活用する。【解決手段】ハロゲンランプ２２は空気の流れに対してニクロム線基板２４の下流側に配置されている。ハロゲンランプ２２はニクロム線基板２４の下流側の先端部によって支持され、送風口１６の略中央に位置するように配置されている。空気は遮熱板２６の内部を通過する際にニクロム線基板２４による発熱によって加熱され、さらに空気の流路３２の略中央に配置されているハロゲンランプ２２の発熱によって再加熱される。【選択図】図２
2020137973.tif 000002
【特許請求の範囲】
【請求項１】
筐体内に吸入口から送風口に向かう空気の流れを形成する送風源と、
前記吸入口から前記送風口に向かう空気を加熱する熱源と、
前記送風口に向けて赤外線を放射する赤外線放射源を備え、
前記吸入口から前記送風口に向かう空気の流れに対して前記赤外線放射源が前記熱源の下流側に配設され、前記赤外線放射源の周囲に空気の流路が形成されていることを特徴とする、
ヘアドライヤー。
【請求項２】
前記赤外線放射源を構成するハロゲンランプが前記熱源を構成するニクロム線の基板によって支持されていることを特徴とする、
請求項１に記載のヘアドライヤー。
【発明の詳細な説明】
【技術分野】
【０００１】
本発明は、赤外線放射機能を備えるドライヤーに関する。
【背景技術】
【０００２】
従来、赤外線放射機能を備えるヘアドライヤーが知られている（特許文献１）。赤外線のうち特に波長の長い赤外線には人体を内部から暖める作用があることが知られており、この作用をドライヤーに応用し、毛髪や頭皮を内部から乾かすことで、熱風によるダメージから毛髪を保護することが期待されている。
【先行技術文献】
【特許文献】
【０００３】
【特許文献１】特開２００３−４２４２８６号公報
【発明の概要】
【発明が解決しようとする課題】
【０００４】
特許文献１に記載のヘアドライヤーには赤外線放射源の他にニクロム線を用いる熱源（ヒータ）が搭載されている。赤外線放射源としてハロゲンランプを用いる場合、急速昇温が可能なハロゲンランプによる発熱を空気を加熱するための補助熱源として活用することができれば、ヘアドライヤーとして必要な総熱量を維持しながらヒータの発熱量を低減させることが可能になり、さらにはヒータの小型化、軽量化を実現することができるようになる。
【課題を解決するための手段】
【０００５】
本発明は、前述の課題を解決するため、以下の構成要素からなるヘアドライヤーを提供する。
【０００６】
ヘアドライヤーの第１の態様は、筐体内に吸入口から送風口に向かう空気の流れを形成する送風源と、前記吸入口から前記送風口に向かう空気を加熱する熱源と、前記送風口に向けて放射する赤外線放射源を備え、前記吸入口から前記送風口に向かう空気の流れに対して前記赤外線放射源が前記熱源の下流側に配設され、前記赤外線放射源の周囲に空気の流路が形成されていることを特徴とする。
【０００７】
ヘアドライヤーの第２の態様は、筐体内に吸入口から送風口に向かう空気の流れを形成する送風源と、前記吸入口から前記送風口に向かう空気を加熱する熱源と、前記送風口に向けて放射する赤外線放射源を備え、前記吸入口から前記送風口に向かう空気の流れに対して前記赤外線放射源が前記熱源の下流側に配設され、前記赤外線放射源の周囲に空気の流路が形成され、さらに前記赤外線放射源を構成するハロゲンランプが前記熱源を構成するニクロム線の基板によって支持されていることを特徴とする。
【発明の効果】
【０００８】
以上のように構成されるヘアドライヤーは、赤外線発生源の配置において従来技術にはない特徴があり、これにより赤外線発生源としてだけではなく空気を加熱する補助熱源として活用することが可能である。これによりヘアドライヤーとして必要な総熱量を維持しながら熱源に発熱量を低減させることが可能になるため、従来技術と比べて消費電力を削減することができる。また熱源の小型化が可能になるため、ヘアドライヤーの小型化、軽量化を実現することができる。
【図面の簡単な説明】
【０００９】
【図１】ヘアドライヤーの構成を示す図
【図２】熱源および赤外線放射源の配置およびこれらと空気の流路との位置関係を示す図
【発明を実施するための形態】
【００１０】
ヘアドライヤーの実施形態について、図１および図２を参照しながら説明する。図１はヘアドライヤーの全体の構成を示し、図２はニクロム線基板およびハロゲンランプと空気の流路との位置関係を示す。
【００１１】
〔ヘアドライヤーの構成〕
最初に、図１を参照しながらヘアドライヤーの構成について説明する。なお、図１はヘアドライヤーを構成するすべての部品が記載されているが、以下の説明においては本発明の構成要素に関連する部品についてのみ言及する。ヘアドライヤー１０は、主体となる筒型の筐体１２の一方の端部に吸入口１４、他方の端部に送風口１６を備える。吸入口１４の近傍にはファン１８およびその駆動源となるモータ２０を備える。ファン１８は筐体１２の内部に吸入口１４から送風口１６に向かう空気の流れを形成する送風源として機能する。送風口１６の近傍にはハロゲンランプ２２を備える。ファン１８とハロゲンランプ２２の間にはニクロム線基板２４を備える（ニクロム線は図示せず）。ハロゲンランプ２２およびニクロム線基板２４は遮熱板２６によって被覆される。筒型の遮熱板２６の内部空間が吸入口１４から送風口１６に向かう空気の流路となる。ヘアドライヤー１０のハンドルにはスライド式のスイッチ３０を備える。
【００１２】
ハロゲンランプ２２は送風口１６に向けて赤外線を放射する赤外線放射源として機能する。ハロゲンランプ２２から放射された電磁波は水分子に吸収され、熱振動に変換されて対象物（人体の皮膚や毛髪など）を加熱する。ニクロム線基板２４（図示しないニクロム線を含む）は吸入口１４から送風口１６に向かう空気を加熱する熱源として機能する。
【００１３】
次に、図２を参照しながらハロゲンランプ２２とニクロム線基板２４の配置およびこれらと空気の流路との位置関係について説明する。ニクロム線基板２４は遮熱板２６の内部に配置され、その周囲に空気の流路２８が形成されている。ハロゲンランプ２２は吸入口１４から送風口１６に向かう空気の流れに対してニクロム線基板２４の下流側に配置されている。ハロゲンランプ２２はニクロム線基板２４の下流側の先端部によって支持され、送風口１６の略中央に位置するように配置されている。
【００１４】
〔ヘアドライヤーの作用および効果〕
ヘアドライヤー１０はスイッチ３０の操作によってＤＲＹモードまたはＨＡＩＲモードの何れかを選択することができる。ＤＲＹモードは毛髪を急速乾燥させる際に選択するモードであり、ファン１８とニクロム線基板２４への通電を行う。ＤＲＹモードは強弱を選択することが可能であり、より急速乾燥が可能な「強」を選択した場合、消費電力は概ね９３５〜９４６Ｗである。このとき送風口から吹き出される熱風の温度は概ね６６.４〜６８℃である。ＨＡＩＲモードは毛髪へのダメージを抑えたい際に選択するモードであり、ファン１８とニクロム線基板２４への通電に加えてハロゲンランプ２２への通電を行う。ＤＲＹモードに比べニクロム線基板２４による発熱量が大幅に抑えられるため、ＨＡＩＲモード使用時の消費電力は概ね４１０〜４２２Ｗとなるが、ハロゲンランプ２２の発熱が空気の加熱に利用されるため、送風口から吹き出される熱風の温度はＤＲＹモードの場合とさほど遜色のない概ね６０.４〜６１℃である。
【００１５】
ＨＡＩＲモードを選択すると、ファン１８が駆動し、ニクロム線基板２４が発熱を開始するとともにハロゲンランプ２２が点灯する。ファン１８の駆動により吸入口１４から送風口１６に向かう空気の流れが形成され、吸入口１４から吸入された空気は遮熱板２６の内部を通って送風口１６から送出される。吸入口１４から吸入された空気は遮熱板２６の内部を通過する際にニクロム線基板２４による発熱によって加熱され、さらにハロゲンランプ２２の発熱によって再加熱され、高温の熱風となって送風口１６から送出される。ハロゲンランプ２２は流路２８の略中央に配置されているため、ハロゲンランプ２２を包み込むような空気の流れが生じ、ハロゲンランプ２２の発熱のほぼ全てが空気を再加熱する熱源として利用される。またハロゲンランプ２２を所定の位置に固定する手段としてニクロム線基板２４を利用しているため、固定時の接触によって奪われるハロゲンランプ２２の発熱の一部はニクロム線基板２４に伝熱され、空気の加熱に無駄なく利用される。
【００１６】
以上のように構成されるヘアドライヤー１０は、赤外線発生源であるハロゲンランプ２２の配置において従来技術にはない特徴があり、これによりハロゲンランプ２２を赤外線発生源だけではなく空気を加熱する補助熱源として活用することが可能である。これによりヘアドライヤーとして必要な総熱量を維持しながらニクロム線による発熱量を低減させることが可能になるため、従来技術と比べて消費電力を削減することができ、光熱費の削減を実現することができる。またニクロム線基板２４の小型化が可能になるため、ヘアドライヤーの小型化、軽量化を実現することができる。さらに毛髪へのダメージを軽減させながらも十分な熱量を確保することができる。
【符号の説明】
【００１７】
１０  ヘアドライヤー
１２  筐体
１４  吸入口
１６  送風口
１８  ファン
２０  モータ
２２  ハロゲンランプ
２４  ニクロム線基板
２６  遮熱板
２８  流路
３０  スイッチ
【図１】
2020137973.tif 000003
【図２】
2020137973.tif 000004